(57)【要約】【課題】耐熱性に優れ、プロピレングリコールモノメチルエーテルアセテート（ＰＧＭＥＡ）などのエステル系有機溶媒への良好な溶解性をも併せ持つカラーフィルター用トリアリールメタン系色素並びに該色素を用いたカラーフィルターを提供すること【解決手段】下記一般式（１）で表されるカラーフィルター用トリアリールメタン系色素を用いてカラーフィルターを構成する。【化１】2013108591.tif 000058
2013108591.tif 000002
【特許請求の範囲】
【請求項１】
下記一般式（１）で表されるカラーフィルター用トリアリールメタン系色素。
【化１】
2013108591.tif 000054
（式中、Ｒ１〜Ｒ４は同一でも異なってもよく、水素原子、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表し、Ｒ１とＲ２、Ｒ３とＲ４は、それぞれ単結合を介して互いに結合して環を形成していてもよい。Ｒ５〜Ｒ７は同一でも異なってもよく、ハロゲン原子、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基、置換基を有していてもよい炭素原子数１ないし２０の直鎖状もしくは分岐状のアルコキシ基、置換基を有していてもよい炭素原子数３ないし２０のシクロアルコキシ基を表し、これらの置換基が単結合を介して互いに結合し、環を形成していてもよい。ｒ５およびｒ６は０〜４の整数を表し、ｒ７は０〜５の整数を表す。Ａ、Ｂは同一でも異なってもよく、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表す。）
【請求項２】
前記一般式（１）で表されるトリアリールメタン系色素が、下記一般式（２）で表されることを特徴とする、請求項１に記載のトリアリールメタン系色素。
【化２】
2013108591.tif 000055
（式中、Ｒ１〜Ｒ４は同一でも異なってもよく、水素原子、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表し、Ｒ１とＲ２、Ｒ３とＲ４は、それぞれ単結合を介して互いに結合して環を形成していてもよい。Ｒ６〜Ｒ８は同一でも異なってもよく、ハロゲン原子、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基、置換基を有していてもよい炭素原子数１ないし２０の直鎖状もしくは分岐状のアルコキシ基、置換基を有していてもよい炭素原子数３ないし２０のシクロアルコキシ基を表し、これらの置換基が単結合を介して互いに結合し、環を形成していてもよい。ｒ６は０〜４の整数を表し、ｒ７は０〜５の整数を表し、ｒ８は０〜２の整数を表す。Ａ、Ｂは同一でも異なってもよく、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表す。）
【請求項３】
前記一般式（１）で表されるトリアリールメタン系色素が、下記一般式（３）で表されることを特徴とする、請求項１に記載のトリアリールメタン系色素。
【化３】
2013108591.tif 000056
（式中、Ｒ１〜Ｒ４は同一でも異なってもよく、水素原子、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表し、Ｒ１とＲ２、Ｒ３とＲ４は、それぞれ単結合を介して互いに結合して環を形成していてもよい。Ｒ５、Ｒ７、Ｒ９は同一でも異なってもよく、ハロゲン原子、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基、置換基を有していてもよい炭素原子数１ないし２０の直鎖状もしくは分岐状のアルコキシ基、置換基を有していてもよい炭素原子数３ないし２０のシクロアルコキシ基を表し、これらの置換基が単結合を介して互いに結合し、環を形成していてもよい。ｒ５は０〜４の整数を表し、ｒ７は０〜５の整数を表し、ｒ９は０〜２の整数を表す。Ａ、Ｂは同一でも異なってもよく、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表す。）
【請求項４】
前記一般式（１）で表されるトリアリールメタン系色素が、下記一般式（４）で表されることを特徴とする、請求項１に記載のトリアリールメタン系色素。
【化４】
2013108591.tif 000057
（式中、Ｒ１〜Ｒ４は同一でも異なってもよく、水素原子、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表し、Ｒ１とＲ２、Ｒ３とＲ４は、それぞれ単結合を介して互いに結合して環を形成していてもよい。Ｒ５、Ｒ６、Ｒ１０は同一でも異なってもよく、ハロゲン原子、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基、置換基を有していてもよい炭素原子数１ないし２０の直鎖状もしくは分岐状のアルコキシ基、置換基を有していてもよい炭素原子数３ないし２０のシクロアルコキシ基を表し、これらの置換基が単結合を介して互いに結合し、環を形成していてもよい。ｒ５、ｒ６は０〜４の整数を表し、ｒ１０は０〜３の整数を表す。Ａ、Ｂは同一でも異なってもよく、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表す。）
【請求項５】
前記一般式（１）において、ＡおよびＢが、置換基を有していてもよい炭素原子数１ないし２０の直鎖状もしくは分岐状のアルキル基、または、置換もしくは無置換の芳香族炭化水素基であることを特徴とする、請求項１に記載のトリアリールメタン系色素。
【請求項６】
前記一般式（１）において、ＡおよびＢが、置換基としてフッ素原子を有する炭素原子数１ないし２０の直鎖状もしくは分岐状のアルキル基、または、置換基としてフッ素原子もしくはフッ素原子を置換基として有する炭素原子数１ないし１０の直鎖状もしくは分岐状のアルキル基を有する芳香族炭化水素基であることを特徴とする、請求項１に記載のトリアリールメタン系色素。
【請求項７】
前記一般式（１）において、ＡおよびＢが、トリフルオロメチル基であることを特徴とする、請求項１に記載のトリアリールメタン系色素。
【請求項８】
前記一般式（１）で表される色素が、２５℃、常圧下におけるプロピレングリコールモノメチルエーテルアセタートに対する溶解度が１重量％以上であるトリアリールメタン系色素であることを特徴とする、請求項１に記載のトリアリールメタン系色素。
【請求項９】
請求項１ないし８のいずれか１項に記載のトリアリールメタン系色素を用いることを特徴とするカラーフィルター。
【発明の詳細な説明】
【技術分野】
【０００１】
本発明は、カラーフィルター用色素並びに該色素を用いたカラーフィルターに関し、特に、耐熱性が高く、かつ有機溶媒への溶解性に優れたトリアリールメタン系色素並びに該色素を用いたカラーフィルターに関する。
【背景技術】
【０００２】
液晶や電界発光（ＥＬ）表示装置に、カラーフィルターが用いられることがある。該カラーフィルターは、基板に着色層を積層した構造を有し、該着色層には、耐熱性、耐光性が求められている。着色層に用いる材料としてはトリアリールメタン系色素が知られており、例えば特許文献１、２においては、対アニオンに芳香族スルホン酸を用いることによって色素の耐熱性および耐光性を向上させている。【０００３】
中でも特許文献１では、芳香族スルホン酸の芳香環に光重合性の官能基を導入し、含有する光重合性樹脂および架橋性モノマーに化学結合を形成することで耐久性を向上させている。しかし、芳香族スルホン酸を対アニオンにもつトリアリールメタン系色素は、プロピレングリコールモノメチルエーテルアセテート（ＰＧＭＥＡ）などのエステル系溶媒やアクリル酸樹脂および架橋性モノマーへの溶解性に乏しく、均一なインキ組成物を得ることは難しく、たとえ溶液とすることができても、塗膜中で色素が析出してしまい、色素の特徴である高い透過性を損なってしまうなどの課題があり、カラーフィルター用着色剤としての仕様を十分に満たしていないために未だ実用に至っていない。また、特許文献２には、特定構造のトリアリールメタン系色素と対アニオンとして芳香族スルホン酸イオンとを有する着色剤を含む組成物が記載されているが、基板との密着性や耐光性が十分ではなかった。【０００４】
一方、トリアリールメタンなどのカチオン性色素の耐久性を向上する手段として、対アニオンにイミド酸イオンを用いることが特許文献３に開示されており、均一な塗膜を与えることが記載されている。
【先行技術文献】
【特許文献】
【０００５】
【特許文献１】特開２００３−２４６９３５号公報
【特許文献２】特開２００８−３０４７６６号公報
【特許文献３】特公表２００７−５０３４７７号公報
【発明の概要】
【発明が解決しようとする課題】
【０００６】
しかしながら、従来のトリアリールメタン系色素は、耐熱性はある程度確保できるものの、各種溶媒への溶解性が不十分であった。
本発明は、上記課題を解決するためになされたもので、耐熱性に優れ、ＰＧＭＥＡなどのエステル系有機溶媒への良好な溶解性をも併せ持つカラーフィルター用トリアリールメタン系色素並びに該色素を用いたカラーフィルターを提供することを目的とする。
【課題を解決するための手段】
【０００７】
本発明者らは、上記課題を解決するため鋭意検討した結果、トリアリールメタン系色素における対アニオンをスルホニルイミド酸イオンとすることにより、耐熱性を維持しつつ、有機溶媒に対する溶解性を向上させることができることを見出し、本発明を完成させた。すなわち本発明は、以下を要旨とするものである。【０００８】
１．下記一般式（１）で表されるカラーフィルター用トリアリールメタン系色素。【０００９】
【化１】
2013108591.tif 000003
【００１０】
（式中、Ｒ１〜Ｒ４は同一でも異なってもよく、水素原子、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表し、Ｒ１とＲ２、Ｒ３とＲ４は、それぞれ単結合を介して互いに結合し、環を形成していてもよい。Ｒ５〜Ｒ７は同一でも異なってもよく、ハロゲン原子、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基、置換基を有していてもよい炭素原子数１ないし２０の直鎖状もしくは分岐状のアルコキシ基、置換基を有していてもよい炭素原子数３ないし２０のシクロアルコキシ基を表し、これらの置換基が単結合を介して互いに結合し、環を形成していてもよい。ｒ５およびｒ６は０〜４の整数を表し、ｒ７は０〜５の整数を表す。Ａ、Ｂは同一でも異なってもよく、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表す。）【００１１】
２．前記一般式（１）で表されるトリアリールメタン系色素が、下記一般式（２）で表されることを特徴とする、１．に記載のトリアリールメタン系色素。【００１２】
【化２】
2013108591.tif 000004
【００１３】
（式中、Ｒ１〜Ｒ４は同一でも異なってもよく、水素原子、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表し、Ｒ１とＲ２、Ｒ３とＲ４は、それぞれ単結合を介して互いに結合し、環を形成していてもよい。Ｒ６〜Ｒ８は同一でも異なってもよく、ハロゲン原子、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基、置換基を有していてもよい炭素原子数１ないし２０の直鎖状もしくは分岐状のアルコキシ基、置換基を有していてもよい炭素原子数３ないし２０のシクロアルコキシ基を表し、これらの置換基が単結合を介して互いに結合し、環を形成していてもよい。ｒ６は０〜４の整数を表し、ｒ７は０〜５の整数を表し、ｒ８は０〜２の整数を表す。Ａ、Ｂは同一でも異なってもよく、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表す。）【００１４】
３．前記一般式（１）で表されるトリアリールメタン系色素が、下記一般式（３）で表されることを特徴とする、１．に記載のトリアリールメタン系色素。【００１５】
【化３】
2013108591.tif 000005
【００１６】
（式中、Ｒ１〜Ｒ４は同一でも異なってもよく、水素原子、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表し、Ｒ１とＲ２、Ｒ３とＲ４は、それぞれ単結合を介して互いに結合し、環を形成していてもよい。Ｒ５、Ｒ７、Ｒ９は同一でも異なってもよく、ハロゲン原子、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基、置換基を有していてもよい炭素原子数１ないし２０の直鎖状もしくは分岐状のアルコキシ基、置換基を有していてもよい炭素原子数３ないし２０のシクロアルコキシ基を表し、これらの置換基が単結合を介して互いに結合し、環を形成していてもよい。ｒ５は０〜４の整数を表し、ｒ７は０〜５の整数を表し、ｒ９は０〜２の整数を表す。Ａ、Ｂは同一でも異なってもよく、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表す。）【００１７】
４．前記一般式（１）で表されるトリアリールメタン系色素が、下記一般式（４）で表されることを特徴とする、１．に記載のトリアリールメタン系色素。【００１８】
【化４】
2013108591.tif 000006
【００１９】
（式中、Ｒ１〜Ｒ４は同一でも異なってもよく、水素原子、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表し、Ｒ１とＲ２、Ｒ３とＲ４は、それぞれ単結合を介して互いに結合し、環を形成していてもよい。Ｒ５、Ｒ６、Ｒ１０は同一でも異なってもよく、ハロゲン原子、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基、置換基を有していてもよい炭素原子数１ないし２０の直鎖状もしくは分岐状のアルコキシ基、置換基を有していてもよい炭素原子数３ないし２０のシクロアルコキシ基を表し、これらの置換基が単結合を介して互いに結合し、環を形成していてもよい。ｒ５、ｒ６は０〜４の整数を表し、ｒ１０は０〜３の整数を表す。Ａ、Ｂは同一でも異なってもよく、置換基を有していてもよい炭素原子数１ないし２０の直鎖状もしくは分岐状のアルキル基、置換基を有していてもよい炭素原子数３ないし２０のシクロアルキル基、置換もしくは無置換の芳香族炭化水素基、置換もしくは無置換の芳香族複素環基、置換もしくは無置換の縮合多環芳香族基を表す。）【００２０】
５．前記一般式（１）で表されるトリアリールメタン系色素において、ｒ５が０であることを特徴とする、１．に記載のトリアリールメタン系色素。【００２１】
６．前記一般式（１）で表されるトリアリールメタン系色素において、ｒ６が０であることを特徴とする、１．に記載のトリアリールメタン系色素。【００２２】
７．前記一般式（１）で表されるトリアリールメタン系色素において、ｒ７が０であることを特徴とする、１．に記載のトリアリールメタン系色素。【００２３】
８．前記一般式（１）で表されるトリアリールメタン系色素において、ｒ５およびｒ６が０であることを特徴とする、１．に記載のトリアリールメタン系色素。【００２４】
９．前記一般式（１）で表されるトリアリールメタン系色素において、ｒ５およびｒ７が０であることを特徴とする、１．に記載のトリアリールメタン系色素。【００２５】
１０．前記一般式（１）で表されるトリアリールメタン系色素において、ｒ６およびｒ７が０であることを特徴とする、１．に記載のトリアリールメタン系色素。【００２６】
１１．前記一般式（１）で表されるトリアリールメタン系色素において、ｒ５〜ｒ７が０であることを特徴とする、１．に記載のトリアリールメタン系色素。【００２７】
１２．前記一般式（１）において、ＡおよびＢが、置換基を有していてもよい炭素原子数１ないし２０の直鎖状もしくは分岐状のアルキル基、または、置換もしくは無置換の芳香族炭化水素基であることを特徴とする、１．に記載のトリアリールメタン系色素。【００２８】
１３．前記一般式（１）において、ＡおよびＢが、置換基としてフッ素原子を有する炭素原子数１ないし２０の直鎖状もしくは分岐状のアルキル基、または、置換基としてフッ素原子もしくはフッ素原子を置換基として有する炭素原子数１ないし１０の直鎖状もしくは分岐状のアルキル基を有する芳香族炭化水素基であることを特徴とする、１．に記載のトリアリールメタン系色素。【００２９】
１４．前記一般式（１）において、ＡおよびＢが、トリフルオロメチル基であることを特徴とする、１．に記載のトリアリールメタン系色素。【００３０】
１５．前記一般式（１）で表される色素が、２５℃、常圧下におけるプロピレングリコールモノメチルエーテルアセタートに対する溶解度が１重量％以上であるトリアリールメタン系色素であることを特徴とする、１．に記載のトリアリールメタン系色素。【００３１】
１６．前記一般式（４）で表されるトリアリールメタン系色素において、ｒ５が０であることを特徴とする、４．に記載のトリアリールメタン系色素。【００３２】
１７．前記一般式（４）で表されるトリアリールメタン系色素において、ｒ６が０であることを特徴とする、４．に記載のトリアリールメタン系色素。【００３３】
１８．前記一般式（４）で表されるトリアリールメタン系色素において、ｒ１０が０であることを特徴とする、４．に記載のトリアリールメタン系色素。【００３４】
１９．前記一般式（４）で表されるトリアリールメタン系色素において、ｒ５およびｒ６が０であることを特徴とする、４．に記載のトリアリールメタン系色素。【００３５】
２０．前記一般式（４）で表されるトリアリールメタン系色素において、ｒ５およびｒ１０が０であることを特徴とする、４．に記載のトリアリールメタン系色素。【００３６】
２１．前記一般式（４）で表されるトリアリールメタン系色素において、ｒ６およびｒ１０が０であることを特徴とする、４．に記載のトリアリールメタン系色素。【００３７】
２２．前記一般式（４）で表されるトリアリールメタン系色素において、ｒ５、ｒ６、ｒ１０が０であることを特徴とする、４．に記載のトリアリールメタン系色素。【００３８】
２３．前記１．ないし２２．のいずれか１項に記載のトリアリールメタン系色素を用いたことを特徴とするカラーフィルター。
【発明の効果】
【００３９】
本発明のトリアリールメタン系色素は耐熱性が高く、かつＰＧＭＥＡなどの有機溶媒への溶解性に優れているため、カラーフィルターに用いる色素として有用である。
【発明を実施するための最良の形態】
【００４０】
以下に、本発明の実施の形態について詳細に説明するが、本発明はこれらに限定されるものではない。【００４１】
一般式（１）〜（４）中のＲ１〜Ｒ４で表される、「置換基を有していてもよい炭素原子数１ないし２０の直鎖状もしくは分岐状のアルキル基」または「置換基を有していてもよい炭素原子数３ないし２０のシクロアルキル基」における「炭素原子数１ないし２０の直鎖状もしくは分岐状のアルキル基」または「炭素原子数３ないし２０のシクロアルキル基」としては、具体的に、メチル基、エチル基、プロピル基、ブチル基、ペンチル基、ヘキシル基、ヘプチル基、オクチル基、ノニル基、デシル基、ドデシル基、トリデシル基、ペンタデシル基、ヘキサデシル基、オクタデシル基、ノナデシル基などの直鎖状アルキル基；イソプロピル基、イソブチル基、ｓｅｃ−ブチル基、ｔｅｒｔ−ブチル基、イソオクチル基などの分岐状アルキル基；シクロプロピル基、シクロペンチル基、シクロヘキシル基、シクロヘプチル基、シクロオクチル基、シクロノニル基、シクロデシル基などのシクロアルキル基をあげることができる。また、これらの置換基同士が単結合を介して互いに結合し、環を形成していてもよい。【００４２】
一般式（１）〜（４）中のＲ１〜Ｒ４で表される、「置換基を有していてもよい炭素原子数１ないし２０の直鎖状もしくは分岐状のアルキル基」または「置換基を有していてもよい炭素原子数３ないし２０のシクロアルキル基」における「置換基」としては、ハロゲン原子、炭素原子数１ないし２０の直鎖状もしくは分岐状のアルキル基、炭素原子数３ないし２０のシクロアルキル基、炭素原子数１ないし２０の直鎖状もしくは分岐状のアルコキシ基もしくは炭素原子数３ないし２０のシクロアルコキシ基、ハロゲン原子で置換された炭素原子数１ないし２０の直鎖状もしくは分岐状のアルキル基、ハロゲン原子で置換された炭素原子数１ないし２０の直鎖状もしくは分岐状のアルコキシ基などをあげることができる。具体的には、フッ素原子、塩素原子、臭素原子、ヨウ素原子などのハロゲン原子；メチル基、プロピル基、ブチル基、ペンチル基、ヘキシル基、ヘプチル基、オクチル基、ノニル基、デシル基などの直鎖状アルキル基；イソプロピル基、イソブチル基、ｓｅｃ−ブチル基、ｔｅｒｔ−ブチル基、イソオクチル基などの分岐状アルキル基；シクロプロピル基、シクロペンチル基、シクロヘキシル基、シクロオクチル基などのシクロアルキル基；メトキシ基、エトキシ基、プロポキシ基、ブトキシ基、ペンチルオキシ基、ヘキシルオキシ基、ヘプチルオキシ基、オクチルオキシ基、ノニルオキシ基、デシルオキシ基などの直鎖状アルコキシ基；イソプロポキシ基、イソブトキシ基、ｓｅｃ−ブトキシ基、ｔｅｒｔ−ブトキシ基、イソオクチルオキシ基などの分岐状アルコキシ基；シクロプロポキシ基、シクロペンチルオキシ基、シクロヘキシルオキシ基、シクロプロピルメチルオキシ基などのシクロアルコキシ基；トリフルオロメチル基、ペンタフルオロエチル基、ノナフルオロブチル基、トリフルオロメトキシ基などをあげることができる。【００４３】
一般式（１）〜（４）中のＲ１〜Ｒ４で表される、「置換もしくは無置換の芳香族炭化水素基」、「置換もしくは無置換の芳香族複素環基」または「置換もしくは無置換の縮合多環芳香族基」における「芳香族炭化水素基」、「芳香族複素環基」または「縮合多環芳香族基」としては、具体的に、フェニル基、ナフチル基、ビフェニル基、アズレニル基、アントラセニル基、テルフェニル基、ピレニル基などの炭素原子数６ないし２０の芳香族炭化水素基；フラン環、チオフェン環、ピロール環、イミダゾール環、チアゾール環、オキサジアゾール環などの５員環単環およびピリジン環、ピラジン環などの６員環単環、テルチオフェン環などの多環、フェナンスレン環、キノリン環、イソキノリン環、キノキサリン環、ベンゾフラン環、カルバゾール環、ジベンゾチオフェン環などの縮合環、などの骨格構造を有する炭素原子数２ないし２０の芳香族複素環基または炭素原子数２ないし２０の縮合多環芳香族基をあげることができる。【００４４】
一般式（１）〜（４）中のＲ１とＲ２、Ｒ３とＲ４は、それぞれ互いに結合し、環を形成していてもよく、形成する環としては、具体的に、ピペリジン、モルホリン、ピロリジン、ピペラジン、ヘキサメチレンイミンなどがあげられる。また、このようにして形成されたＲ１Ｒ２Ｎ−またはＲ３Ｒ４Ｎ−で表される基としては、具体的に、ピロリジノ基、ピペラジノ基、モルホリノ基、Ｎ−エチルピペラジンノ基、ジメチルアミノ基、ジエチルアミノ基、ジプロピルアミノ基、ジブチルアミノ基、Ｎ−エチル−Ｎ−イソブチルアミノ基、Ｎ−エチル−ベンジルアミノ基、ジアミルアミノ基、ジヘキシルアミノ基、ジオクチルアミノ基、Ｎ−エチル−Ｎ−テトラフルフリルアミノ基、ジベンジルアミノ基などをあげることができる。これらの中でも、５員環または６員環が特に好ましい。【００４５】
一般式（１）〜（４）中のＲ１〜Ｒ４で表される、「置換芳香族炭化水素基」、「置換芳香族複素環基」または「置換縮合多環芳香族基」における「置換基」としては、ハロゲン原子、炭素原子数１ないし２０の直鎖状もしくは分岐状のアルキル基、炭素原子数３ないし２０のシクロアルキル基、炭素原子数１ないし２０の直鎖状もしくは分岐状のアルコキシ基、炭素原子数３ないし２０のシクロアルコキシ基、ハロゲン原子で置換された炭素原子数１ないし２０の直鎖状もしくは分岐状のアルキル基、ハロゲン原子で置換された炭素原子数１ないし２０の直鎖状もしくは分岐状のアルコキシ基などをあげることができる。具体的には、フッ素原子、塩素原子、臭素原子、ヨウ素原子などのハロゲン原子；メチル基、プロピル基、ブチル基、ペンチル基、ヘキシル基、ヘプチル基、オクチル基、ノニル基、デシル基などの直鎖状アルキル基；イソプロピル基、イソブチル基、ｓｅｃ−ブチル基、ｔｅｒｔ−ブチル基、イソオクチル基、２−エチルヘキシル基などの分岐状アルキル基；シクロプロピル基、シクロペンチル基、シクロヘキシル基、シクロオクチル基などのシクロアルキル基；メトキシ基、エトキシ基、プロポキシ基、ブトキシ基、ペンチルオキシ基、ヘキシルオキシ基、ヘプチルオキシ基、オクチルオキシ基、ノニルオキシ基、デシルオキシ基などの直鎖状アルコキシ基；イソプロポキシ基、イソブトキシ基、ｓｅｃ−ブトキシ基、ｔｅｒｔ−ブトキシ基、イソオクチルオキシ基などの分岐状アルコキシ基；シクロプロポキシ基、シクロペンチルオキシ基、シクロヘキシルオキシ基、シクロプロピルメチルオキシ基などのシクロアルコキシ基；フルオロメチル基、ジフルオロメチル基、トリフルオロメチル基、ペンタフルオロエチル基、２，２，２−トリフルオロエチル基、２−フルオロエチル基、３，３，３−トリフルオロプロピル基、３−フルオロプロピル基、ノナフルオロブチル基などのハロゲン原子（フッ素原子）で置換されたアルキル基；トリフルオロメトキシ基などのハロゲン原子（フッ素原子）で置換されたアルコキシ基などをあげることができる。【００４６】
一般式（１）〜（４）中のＲ１〜Ｒ４は、置換基を有していてもよい炭素原子数１ないし２０の直鎖状もしくは分岐状のアルキル基、置換基を有していてもよい炭素原子数３ないし２０のシクロアルキル基であることが好ましく、置換基を有していてもよい炭素原子数１ないし２０の直鎖状もしくは分岐状のアルキル基であることがより好ましく、置換基を有していてもよい炭素原子数１ないし１０の直鎖状もしくは分岐状のアルキル基であることがさらに好ましく、置換基を有していてもよいメチル基またはエチル基であることが特に好ましい。また、前記のようにＲ１〜Ｒ４は同一でも異なってもよいが、色素構造の観点からは全て同一であることが好ましい。【００４７】
一般式（１）〜（４）中のＲ５〜Ｒ１０で表される、「ハロゲン原子」、「置換基を有していてもよい炭素原子数１ないし２０の直鎖状もしくは分岐状のアルキル基」、「置換基を有していてもよい炭素原子数３ないし２０のシクロアルキル基」、「置換基を有していてもよい炭素原子数２ないし６の直鎖状もしくは分岐状のアルケニル基」、「置換基を有していてもよい炭素原子数１ないし２０の直鎖状もしくは分岐状のアルコキシ基」、「置換基を有していてもよい炭素原子数３ないし２０のシクロアルコキシ基」における「ハロゲン原子」、「炭素原子数１ないし２０の直鎖状もしくは分岐状のアルキル基」、「炭素原子数３ないし２０のシクロアルキル基」、「炭素原子数２ないし６の直鎖状もしくは分岐状のアルケニル基」、「炭素原子数１ないし２０の直鎖状もしくは分岐状のアルコキシ基」、「炭素原子数３ないし２０のシクロアルコキシ基」としては、具体的に、フッ素原子、塩素原子、臭素原子、ヨウ素原子などのハロゲン原子；メチル基、プロピル基、ブチル基、ペンチル基、ヘキシル基、ヘプチル基、オクチル基、ノニル基、デシル基、ドデシル基、トリデシル基、ペンタデシル基、ヘキサデシル基、オクタデシル基、ノナデシル基などの直鎖状アルキル基；イソプロピル基、イソブチル基、ｓｅｃ−ブチル基、ｔｅｒｔ−ブチル基、イソオクチル基などの分岐状アルキル基；シクロペンチル基、シクロヘキシル基、シクロヘプチル基、シクロオクチル基、シクロノニル基、シクロデシル基などのシクロアルキル基；ビニル基、アリル基、ブテニル基、ヘキセニル基などのアルケニル基；メトキシ基、エトキシ基、プロポキシ基、ブトキシ基、ペンチルオキシ基、ヘキシルオキシ基、ヘプチルオキシ基、オクチルオキシ基、ノニルオキシ基、デシルオキシ基などの直鎖状アルコキシ基；イソプロピルオキシ基、イソブチルオキシ基、ｓｅｃ−ブチルオキシ基、ｔｅｒｔ−ブチルオキシ基、イソオクチルオキシ基などの分岐状アルコキシ基；シクロペンチルオキシ基、シクロヘキシルオキシ基、シクロヘプチルオキシ基、シクロオクチルオキシ基、シクロノニルオキシ基、シクロデシルオキシ基などのシクロアルコキシ基をあげることができる。また、これらの置換基同士が単結合を介して互いに結合し、環を形成していてもよい。【００４８】
一般式（１）〜（４）中のＲ５〜Ｒ１０で表される、「置換基を有していてもよい炭素原子数１ないし２０の直鎖状もしくは分岐状のアルキル基」、「置換基を有していてもよい炭素原子数３ないし２０のシクロアルキル基」、「置換基を有していてもよい炭素原子数２ないし６の直鎖状もしくは分岐状のアルケニル基」、「置換基を有していてもよい炭素原子数１ないし２０の直鎖状もしくは分岐状のアルコキシ基」、「置換基を有していてもよい炭素原子数３ないし２０のシクロアルコキシ基」における「置換基」としては、ハロゲン原子、炭素原子数１ないし２０の直鎖状もしくは分岐状のアルキル基、炭素原子数３ないし２０のシクロアルキル基、炭素原子数１ないし２０の直鎖状もしくは分岐状のアルコキシ基、炭素原子数３ないし２０のシクロアルコキシ基、ハロゲン原子で置換された炭素原子数１ないし２０の直鎖状もしくは分岐状のアルキル基、ハロゲン原子で置換された炭素原子数１ないし２０の直鎖状もしくは分岐状のアルコキシ基などをあげることができる。具体的には、フッ素原子、塩素原子、臭素原子、ヨウ素原子などのハロゲン原子；メチル基、プロピル基、ブチル基、ペンチル基、ヘキシル基、ヘプチル基、オクチル基、ノニル基、デシル基などの直鎖状アルキル基；イソプロピル基、イソブチル基、ｓｅｃ−ブチル基、ｔｅｒｔ−ブチル基、イソオクチル基などの分岐状アルキル基；シクロプロピル基、シクロペンチル基、シクロヘキシル基、シクロオクチル基などのシクロアルキル基；メトキシ基、エトキシ基、プロポキシ基、ブトキシ基、ペンチルオキシ基、ヘキシルオキシ基、ヘプチルオキシ基、オクチルオキシ基、ノニルオキシ基、デシルオキシ基などの直鎖状アルコキシ基；イソプロポキシ基、イソブトキシ基、ｓｅｃ−ブトキシ基、ｔｅｒｔ−ブトキシ基、イソオクチルオキシ基などの分岐状アルコキシ基；シクロプロポキシ基、シクロペンチルオキシ基、シクロヘキシルオキシ基、シクロプロピルメチルオキシ基などのシクロアルコキシ基；フルオロメチル基、ジフルオロメチル基、トリフルオロメチル基、ペンタフルオロエチル基、２，２，２−トリフルオロエチル基、２−フルオロエチル基、３，３，３−トリフルオロプロピル基、３−フルオロプロピル基、ノナフルオロブチル基などのハロゲン原子（フッ素原子）で置換されたアルキル基；トリフルオロメトキシ基などのハロゲン原子（フッ素原子）で置換されたアルコキシ基などをあげることができる。【００４９】
一般式（１）〜（４）中のＲ５〜Ｒ１０は、置換基を有していてもよい炭素原子数１ないし２０の直鎖状もしくは分岐状のアルキル基、置換基を有していてもよい炭素原子数３ないし２０のシクロアルキル基、置換基を有していてもよい炭素原子数２ないし６の直鎖状もしくは分岐状のアルケニル基であることが好ましく、置換基を有していてもよい炭素原子数１ないし２０の直鎖状もしくは分岐状のアルキル基、置換基を有していてもよい炭素原子数２ないし６の直鎖状もしくは分岐状のアルケニル基であることがより好ましく、置換基を有していてもよい炭素原子数１ないし１０の直鎖状もしくは分岐状のアルキル基、置換基を有していてもよい炭素原子数２ないし６の直鎖状もしくは分岐状のアルケニル基であることが特に好ましい。【００５０】
一般式（１）〜（４）中の対アニオンであるスルホニルイミド酸イオンにおいて、ＡおよびＢで表される、「置換基を有していてもよい炭素原子数１ないし２０の直鎖状もしくは分岐状のアルキル基」または「置換基を有していてもよい炭素原子数３ないし２０のシクロアルキル基」における「炭素原子数１ないし２０の直鎖状もしくは分岐状のアルキル基」または「炭素原子数３ないし２０のシクロアルキル基」としては、具体的に、メチル基、エチル基、プロピル基、ブチル基、ペンチル基、ヘキシル基、ヘプチル基、オクチル基、ノニル基、デシル基、ドデシル基、トリデシル基、ペンタデシル基、ヘキサデシル基、オクタデシル基、ノナデシル基などの直鎖状アルキル基；イソプロピル基、イソブチル基、ｓｅｃ−ブチル基、ｔｅｒｔ−ブチル基、イソオクチル基などの分岐状アルキル基；シクロプロピル基、シクロペンチル基、シクロヘキシル基、シクロヘプチル基、シクロオクチル基、シクロノニル基、シクロデシル基などのシクロアルキル基をあげることができる。これらの中でも、炭素原子数１ないし２０の直鎖状もしくは分岐状のアルキル基が好ましく、炭素原子数１ないし１０の直鎖状もしくは分岐状のアルキル基がより好ましく、メチル基が特に好ましい。【００５１】
一般式（１）〜（４）中の対アニオンであるスルホニルイミド酸イオンにおいて、ＡおよびＢで表される、「置換基を有していてもよい炭素原子数１ないし２０の直鎖状もしくは分岐状のアルキル基」または「置換基を有していてもよい炭素原子数３ないし２０のシクロアルキル基」における「置換基」としては、ハロゲン原子、炭素原子数１ないし２０の直鎖状もしくは分岐状のアルキル基、炭素原子数３ないし２０のシクロアルキル基、炭素原子数１ないし２０の直鎖状もしくは分岐状のアルコキシ基、炭素原子数３ないし２０のシクロアルコキシ基、ハロゲン原子で置換された炭素原子数１ないし２０の直鎖状もしくは分岐状のアルキル基、ハロゲン原子で置換された炭素原子数１ないし２０の直鎖状もしくは分岐状のアルコキシ基などをあげることができる。具体的には、フッ素原子、塩素原子、臭素原子、ヨウ素原子などのハロゲン原子；メチル基、プロピル基、ブチル基、ペンチル基、ヘキシル基、ヘプチル基、オクチル基、ノニル基、デシル基などの直鎖状アルキル基；イソプロピル基、イソブチル基、ｓｅｃ−ブチル基、ｔｅｒｔ−ブチル基、イソオクチル基などの分岐状アルキル基；シクロプロピル基、シクロペンチル基、シクロヘキシル基、シクロオクチル基などのシクロアルキル基；メトキシ基、エトキシ基、プロポキシ基、ブトキシ基、ペンチルオキシ基、ヘキシルオキシ基、ヘプチルオキシ基、オクチルオキシ基、ノニルオキシ基、デシルオキシ基などの直鎖状アルコキシ基；イソプロポキシ基、イソブトキシ基、ｓｅｃ−ブトキシ基、ｔｅｒｔ−ブトキシ基、イソオクチルオキシ基などの分岐状アルコキシ基；シクロプロポキシ基、シクロペンチルオキシ基、シクロヘキシルオキシ基、シクロプロピルメチルオキシ基などのシクロアルコキシ基；フルオロメチル基、ジフルオロメチル基、トリフルオロメチル基、ペンタフルオロエチル基、２，２，２−トリフルオロエチル基、２−フルオロエチル基、３，３，３−トリフルオロプロピル基、３−フルオロプロピル基、ノナフルオロブチル基などのハロゲン原子（フッ素原子）で置換されたアルキル基；トリフルオロメトキシ基などのハロゲン原子（フッ素原子）で置換されたアルコキシ基をあげることができる。これらの中でも、フッ素原子またはフッ素原子で置換された炭素原子数１ないし２０の直鎖状もしくは分岐状のアルキル基が好ましく、フッ素原子またはフッ素原子で置換された炭素原子数１ないし１０の直鎖状もしくは分岐状のアルキル基がより好ましい。【００５２】
一般式（１）〜（４）中の対アニオンであるスルホニルイミド酸イオンにおいて、ＡおよびＢで表される、「置換もしくは無置換の芳香族炭化水素基」、「置換もしくは無置換の芳香族複素環基」または「置換もしくは無置換の縮合多環芳香族基」における「芳香族炭化水素基」、「芳香族複素環基」または「縮合多環芳香族基」としては、具体的に、フェニル基、ナフチル基、ビフェニル基、アズレニル基、アントラセニル基、テルフェニル基、ピレニル基などの炭素原子数６ないし２０の芳香族炭化水素基；フラン環、チオフェン環、ピロール環、イミダゾール環、チアゾール環、オキサジアゾール環などの５員環単環およびピリジン環、ピラジン環などの６員環単環、テルチオフェン環などの多環、フェナンスレン環、キノリン環、イソキノリン環、キノキサリン環、ベンゾフラン環、カルバゾール環、ジベンゾチオフェン環などの縮合環、などの骨格構造を有する炭素原子数２ないし２０の芳香族複素環基または炭素原子数２ないし２０の縮合多環芳香族基をあげることができる。【００５３】
一般式（１）〜（４）中の対アニオンであるスルホニルイミド酸イオンにおいて、ＡおよびＢで表される、「置換芳香族炭化水素基」、「置換芳香族複素環基」または「置換縮合多環芳香族基」における「置換基」としては、ハロゲン原子、炭素原子数１ないし２０の直鎖状もしくは分岐状のアルキル基、炭素原子数３ないし２０のシクロアルキル基、炭素原子数１ないし２０の直鎖状もしくは分岐状のアルコキシ基、炭素原子数３ないし２０のシクロアルコキシ基、ハロゲン原子で置換された炭素原子数１ないし２０の直鎖状もしくは分岐状のアルキル基、ハロゲン原子で置換された炭素原子数１ないし２０の直鎖状もしくは分岐状のアルコキシ基などをあげることができる。具体的には、フッ素原子、塩素原子、臭素原子、ヨウ素原子などのハロゲン原子；メチル基、プロピル基、ブチル基、ペンチル基、ヘキシル基、ヘプチル基、オクチル基、ノニル基、デシル基などの直鎖状アルキル基；イソプロピル基、イソブチル基、ｓｅｃ−ブチル基、ｔｅｒｔ−ブチル基、イソオクチル基などの分岐状アルキル基；シクロプロピル基、シクロペンチル基、シクロヘキシル基、シクロオクチル基などのシクロアルキル基；メトキシ基、エトキシ基、プロポキシ基、ブトキシ基、ペンチルオキシ基、ヘキシルオキシ基、ヘプチルオキシ基、オクチルオキシ基、ノニルオキシ基、デシルオキシ基などの直鎖状アルコキシ基；イソプロポキシ基、イソブトキシ基、ｓｅｃ−ブトキシ基、ｔｅｒｔ−ブトキシ基、イソオクチルオキシ基などの分岐状アルコキシ基；シクロプロポキシ基、シクロペンチルオキシ基、シクロヘキシルオキシ基、シクロプロピルメチルオキシ基などのシクロアルコキシ基；フルオロメチル基、ジフルオロメチル基、トリフルオロメチル基、ペンタフルオロエチル基、２，２，２−トリフルオロエチル基、２−フルオロエチル基、３，３，３−トリフルオロプロピル基、３−フルオロプロピル基、ノナフルオロブチル基などのハロゲン原子（フッ素原子）で置換されたアルキル基；トリフルオロメトキシ基などのハロゲン原子（フッ素原子）で置換されたアルコキシ基をあげることができる。これらの中でも、フッ素原子またはフッ素原子で置換された炭素原子数１ないし２０の直鎖状もしくは分岐状のアルキル基が好ましく、フッ素原子またはフッ素原子で置換された炭素原子数１ないし１０の直鎖状もしくは分岐状のアルキル基がより好ましく、フッ素原子またはトリフルオロメチル基が特に好ましい。【００５４】
一般式（１）〜（４）中の対アニオンであるスルホニルイミド酸イオンにおいて、ＡおよびＢは、ガラス転移点が低下し過ぎず十分な耐熱性が得られる、また、取り扱いが容易であるとの観点から、置換基としてフッ素原子を有する炭素原子数１ないし２０の直鎖状もしくは分岐状のアルキル基、または、フッ素原子もしくはフッ素原子を置換基として有する炭素原子数１ないし１０の直鎖状もしくは分岐状のアルキル基を置換基として有する芳香族炭化水素基が好ましく、置換基としてフッ素原子を有する炭素原子数１ないし１０の直鎖状もしくは分岐状のアルキル基、または、フッ素原子もしくはフッ素原子を置換基として有する炭素原子数１ないし１０の直鎖状もしくは分岐状のアルキル基を置換基として有する芳香族炭化水素基がより好ましく、置換基としてフッ素原子を有する炭素原子数１ないし３の直鎖状もしくは分岐状のアルキル基、または、フッ素原子もしくはフッ素原子を置換基として有する炭素原子数１ないし３の直鎖状もしくは分岐状のアルキル基を置換基として有する芳香族炭化水素基がさらに好ましく、トリフルオロメチル基、または、フッ素原子もしくはトリフルオロメチル基置換基として有するフェニル基が特に好ましい。置換基としてフッ素原子を有する炭素原子数１ないし３の直鎖状もしくは分岐状のアルキル基としては、具体的に、フルオロメチル基、ジフルオロメチル基、トリフルオロメチル基、ペンタフルオロエチル基、２，２，２−トリフルオロエチル基、２−フルオロエチル基、３，３，３−トリフルオロプロピル基、３−フルオロプロピル基などをあげることができる。【００５５】
一般式（１）〜（４）中のｒ５〜ｒ１０は、０または２が好ましく、０が最も好ましい。また、ｒ５〜ｒ１０が２である場合は、Ｒ５〜Ｒ１０がアルケニル基であるのが好ましい。【００５６】
一般式（１）で表されるトリアリールメタン系色素は、既知の方法（例えば、「総説合成染料」（堀口博著、三共出版、１９６８年））に従って合成することができる。具体的には、市販のトリアリールメタン系色素を塩基により処理して、相当するトリアリールメタノールを合成した後、得られたトリアリールメタノールと、相当するスルホニルイミドを反応させることによって合成することができる。すなわち、例えば対アニオンがＨＳＯ４-で示される色素を反応溶媒に溶解し、塩基を加えて攪拌した後に、生成物をろ取することにより、相当するトリアリールメタノールを合成する。続いて、得られたトリアリールメタノールを反応溶媒に溶解し、相当するスルホニルイミド酸を加えて攪拌した後、沈殿をろ取することによって、一般式（１）で表されるトリアリールメタン系色素を合成することができる。反応溶媒としては、例えば、水、メタノール、エタノール、２−プロパノール等のアルコール系溶媒；あるいはそれらの混合溶媒があげられ、塩基としては水酸化カリウム、水酸化ナトリウム、炭酸ナトリウムなどがあげられる。反応温度としては、例えば０℃から４０℃が好ましく、スルホニルイミド酸の添加量としては、例えば１〜３当量程度である。【００５７】
本発明に係る一般式（１）で表されるトリアリールメタン系色素の中で、好ましい化合物の具体例を以下に示すが、本発明は、これらの化合物に限定されるものではない。【００５８】
【化５】
2013108591.tif 000007
【００５９】
【化６】
2013108591.tif 000008
【００６０】
【化７】
2013108591.tif 000009
【００６１】
【化８】
2013108591.tif 000010
【００６２】
【化９】
2013108591.tif 000011
【００６３】
【化１０】
2013108591.tif 000012
【００６４】
【化１１】
2013108591.tif 000013
【００６５】
【化１２】
2013108591.tif 000014
【００６６】
【化１３】
2013108591.tif 000015
【００６７】
【化１４】
2013108591.tif 000016
【００６８】
【化１５】
2013108591.tif 000017
【００６９】
【化１６】
2013108591.tif 000018
【００７０】
【化１７】
2013108591.tif 000019
【００７１】
【化１８】
2013108591.tif 000020
【００７２】
【化１９】
2013108591.tif 000021
【００７３】
【化２０】
2013108591.tif 000022
【００７４】
【化２１】
2013108591.tif 000023
【００７５】
【化２２】
2013108591.tif 000024
【００７６】
【化２３】
2013108591.tif 000025
【００７７】
【化２４】
2013108591.tif 000026
【００７８】
【化２５】
2013108591.tif 000027
【００７９】
【化２６】
2013108591.tif 000028
【００８０】
【化２７】
2013108591.tif 000029
【００８１】
【化２８】
2013108591.tif 000030
【００８２】
【化２９】
2013108591.tif 000031
【００８３】
【化３０】
2013108591.tif 000032
【００８４】
【化３１】
2013108591.tif 000033
【００８５】
【化３２】
2013108591.tif 000034
【００８６】
【化３３】
2013108591.tif 000035
【００８７】
【化３４】
2013108591.tif 000036
【００８８】
【化３５】
2013108591.tif 000037
【００８９】
【化３６】
2013108591.tif 000038
【００９０】
【化３７】
2013108591.tif 000039
【００９１】
【化３８】
2013108591.tif 000040
【００９２】
【化３９】
2013108591.tif 000041
【００９３】
【化４０】
2013108591.tif 000042
【００９４】
【化４１】
2013108591.tif 000043
【００９５】
【化４２】
2013108591.tif 000044
【００９６】
【化４３】
2013108591.tif 000045
【００９７】
【化４４】
2013108591.tif 000046
【００９８】
【化４５】
2013108591.tif 000047
【００９９】
【化４６】
2013108591.tif 000048
【０１００】
【化４７】
2013108591.tif 000049
【０１０１】
本発明のトリアリールメタン系色素は、有機溶媒、特にＰＧＭＥＡへの溶解性に優れ、２５℃、常圧下におけるＰＧＭＥＡに対する溶解度は、１重量％以上であることが好ましく、３重量％以上であることがより好ましく、５重量％以上であることが特に好ましい。カラーフィルターへの応用を考えた場合、この溶解度は高ければ高いほど好ましい。
【実施例１】
【０１０２】
以下、本発明の実施の形態について、実施例により具体的に説明するが、本発明は以下の実施例に限定されるものではない。【０１０３】
［トリアリールメタノールの合成］
反応容器に、下記構造式（Ａ−１）で表される、Ａｉｚｅｎ Ｄｉａｍｏｎｄ Ｇｒｅｅｎ ＧＨ（保土谷化学工業株式会社製）４０ｇ、水６００ｍｌを加え、４０℃で加熱溶解した後、室温まで冷却した。得られた溶液中に４８％水酸化ナトリウム水溶液１３ｍｌを分割添加した後、室温で１時間攪拌し、生成した粘性物をろ取した。得られた粘性物を酢酸エチル４００ｍｌに溶解して有機層を水洗し、無水硫酸マグネシウムで乾燥後、濃縮、真空乾燥することによって下記構造式のトリアリールメタノール（Ａ−２）３１．４ｇを得た。【０１０４】
【化４８】
2013108591.tif 000050
【０１０５】
【化４９】
2013108591.tif 000051
【０１０６】
［トリアリールメタン系色素の合成］
反応容器に、得られたトリアリールメタノール（Ａ−２）１０．５ｇ、メタノール６０ｍｌを加え、溶解した。この溶液中に、ビス（トリフルオロメタンスルホニル）イミド７．３ｇ、メタノール２０ｍｌを混合した溶液を滴下し、室温で２時間攪拌した。反応溶液の容量が約５０ｍｌになるまで濃縮し、５℃で一晩静置した後、析出した結晶をろ取することによって、下記構造式のトリアリールメタン系色素（Ａ−３）１４．８ｇを得た。【０１０７】
【化５０】
2013108591.tif 000052
【実施例２】
【０１０８】
［色素の評価］
得られた化合物（Ａ−３）について、熱重量−示差熱分析装置（株式会社ＭＡＣサイエンス製、ＴＧ−ＤＴＡ  ２００Ｓ）および分光光度計（株式会社日立ハイテクノロジーズ製、Ｕ−３０００）を用いて、融点、分解点および２５℃、常圧下におけるＰＧＭＥＡへの溶解度を測定した。測定結果を表１にまとめて示した。【０１０９】
［比較例１］ 
比較のため、実施例２と同じ条件で、Ａｉｚｅｎ Ｄｉａｍｏｎｄ Ｇｒｅｅｎ ＧＨ（Ａ−１）の融点、分解点および２５℃、常圧下におけるＰＧＭＥＡへの溶解度を測定し、測定結果を表１にまとめて示した。【０１１０】
【表１】
2013108591.tif 000053
【０１１１】
表１に示すように、本発明実施例の化合物（Ａ−３）は、耐熱性を維持したまま、比較化合物に比べＰＧＭＥＡへの高い溶解性を示しており、カラーフィルター用色素として有用であることが分かる。
【産業上の利用可能性】
【０１１２】
本発明に係るトリアリールメタン系色素は耐熱性に優れ、ＰＧＭＥＡなどの有機溶媒への溶解性に優れており、カラーフィルター用色素として有用である。
【国際調査報告】
2013108591.tif 000059
2013108591.tif 000060